(57)【特許請求の範囲】
【請求項１】
ケースと、
上記ケースに外周の一部が上記ケース外に露出するようにして回転操作可能に支持された操作ホイールと、
上記ケースの一面から突出するようにして上記ケースに支持され、上記操作ホイールの回転により同方向に軸転させられる複数本の糸保持軸と、を備え、
上記操作ホイールは、内周にギヤ歯を有するリング状をしており、上記ギヤ歯には、上記複数の糸保持軸の基端部に形成したピニオンギヤがそれぞれ噛み合っていることを特徴とする、糸撚り器。
【請求項２】
上記ケースは、正面壁と、背面壁と、左右側面壁とを有しており、上記複数本の糸保持軸は、上記正面壁から突出している、請求項１に記載の糸撚り器。
【請求項３】
上記操作ホイールは、上記ケースの上記正面壁と上記背面壁との間に位置しているとともに、その外周の一部が上記ケースの上記左右側面壁のいずれか一方または双方から露出している、請求項２に記載の糸撚り器。
【請求項４】
上記ケースは、握持部を有しており、上記操作ホイールの外周の一部は、上記握持部を握持した手の親指または人差し指が届く位置において、上記ケースの左右側面壁から露出している、請求項３に記載の糸撚り器。
【請求項５】
上記操作ホイールの外周には、滑り止め用の凹凸が形成されている、請求項１ないし４のいずれかに記載の糸撚り器。
【請求項６】
上記操作ホイールの回転に節度感を与える係止手段を備える、請求項５に記載の糸撚り器。
【請求項７】
上記係止手段は、上記操作ホイールの外周に形成された凹凸に弾性的に係合する係合手段を含んで構成されている、請求項６に記載の糸撚り器。
【請求項８】
上記複数の糸保持軸の先端は、鉤状となっている、請求項１ないし７のいずれかに記載の糸撚り器。
【請求項９】
請求項１ないし８のいずれかに記載の糸撚り器を用いた撚り糸の作成方法であって、
各糸保持軸の先端にそれぞれ糸の一端を保持させ、各糸の他端どうしを結び付ける第１ステップ、
操作ホイールを回転させて各糸保持軸を軸転させ、各糸に所定方向の付加的な撚りを与える第２ステップ、
各糸の他端を吊持点として、上記糸撚り器をぶら下げ、第２ステップによって各糸に与えられた付加的な撚りが解ける力によって上記糸撚り器が回転することにより複数の糸を撚り合わせる第３ステップ、
を含むことを特徴とする、撚り糸の作成方法。
【発明の詳細な説明】
【技術分野】
【０００１】
本発明は、複数本の糸のそれぞれに同時に付加的な撚りを与える糸撚り器、およびこれを用いて複数本の糸を撚り合わせた撚り糸を作成する方法に関する。
【背景技術】
【０００２】
手芸用の撚り糸を作成するための糸撚り器として、たとえば特許文献１に示されたものがある。同文献に示された糸撚り器は、複数本の糸保持軸をそれぞれ自転させる第１の機能と、複数の糸保持軸を公転させる第２の機能を合わせもつ。各糸保持軸に糸の一端を保持させ、各糸の他端をたとえば机に固定させた状態で上記第１の機能により各糸保持軸を自転させると、各糸に撚りが与えられる。次いで、上記第２の機能により各糸保持軸を公転させると、複数本の糸が撚り合わされ、撚り糸が出来上がる。
【０００３】
特許文献１に示された糸撚り器は、ハンドルの先端部に設けたホイールを第１の方向に回転させることにより上記第１の機能を実現し、上記ホイールを第１の方向と反対の第２の方向に回転させることにより上記第２の機能を実現するように構成され、上記ホイールは、たとえば机上で転がすようにして回転させる。
【０００４】
しかしながら、特許文献１に示された糸撚り器は、上記第１の機能と第２の機能とを合わせ備えることから、機構が複雑で部品点数が多く、コスト的に不利である。また、複数の糸の他端を机などに固定する必要があり、使い勝手が必ずしも良好であるとはいえない。
【先行技術文献】
【特許文献】
【０００５】
【特許文献１】特許第４８０５９６４号公報
【発明の概要】
【発明が解決しようとする課題】
【０００６】
本発明は、上記した事情のもとで考え出されたものであって、より簡単な構造でありながら、複数本の糸を撚り合わせた撚り糸を簡便に作成することができる糸撚り器およびこれを用いた撚り糸の作成方法を提供することをその課題とする。
【課題を解決するための手段】
【０００７】
上記した課題を解決するため、本発明では、次の技術的手段を採用した。
【０００８】
本発明の第１の側面によって提供される糸撚り器は、ケースと、上記ケースに外周の一部が上記ケース外に露出するようにして回転操作可能に支持された操作ホイールと、上記ケースの一面から突出するようにして上記ケースに支持され、上記操作ホイールの回転により同方向に軸転させられる複数本の糸保持軸と、を備えることを特徴とする。
【０００９】
好ましい実施の形態では、上記操作ホイールは、内周にギヤ歯を有するリング状をしており、上記ギヤ歯には、上記複数の糸保持軸の基端部に形成したピニオンギヤがそれぞれ噛み合っている。
【００１０】
好ましい実施の形態では、上記ケースは、正面壁と、背面壁と、左右側面壁とを有しており、上記複数本の糸保持軸は、上記正面から突出している。
【００１１】
好ましい実施の形態では、上記操作ホイールは、上記ケースの上記正面壁と上記背面壁との間に位置しているとともに、その外周の一部が上記ケースの上記左右側面壁のいずれか一方または双方から露出している。
【００１２】
好ましい実施の形態では、上記ケースは、握持部を有しており、上記操作ホイールの外周の一部は、上記握持部を握持した手の親指または人差し指が届く位置において、上記ケースの左右側面壁から露出している。
【００１３】
好ましい実施の形態では、上記操作ホイールの外周には、滑り止め用の凹凸が形成されている。
【００１４】
好ましい実施の形態では、上記操作ホイールの回転に節度感を与える係止手段を備える。
【００１５】
好ましい実施の形態では、上記係止手段は、上記操作ホイールの外周に形成された凹凸に弾性的に係合する係合手段を含んで構成されている。
【００１６】
好ましい実施の形態では、上記複数の糸保持軸の先端は、鉤状となっている。
【００１７】
本発明の第２の側面によって提供される撚り糸の作成方法は、上記第１の側面に係る糸撚り器を用いた撚り糸の作成方法であって、各糸保持軸の先端にそれぞれ糸の一端を保持させ、各糸の他端どうしを結び付ける第１ステップ、操作ホイールを回転させて各糸保持軸を軸転させ、各糸に所定方向の付加的な撚りを与える第２ステップ、および、各糸の他端を吊持点として、上記糸撚り器をぶら下げ、第２ステップによって各糸に与えられた付加的な撚りが解ける力によって上記糸撚り器が回転することにより複数の糸を撚り合わせる第３ステップ、を含むことを特徴とする。
【００１８】
上記構成の糸撚り器は、たとえば、ケースを握持した手の親指等で操作ホイールを直接回転させて各糸保持軸を軸転させることができるので、各糸保持軸に一端が保持された複数の糸に対して簡易な操作で付加的な撚りを与えることができる。
【００１９】
また、各糸に付加的な撚りを与えた後に、各糸の他端部を吊持点として糸撚り器をぶら下げることにより、各糸に与えられた付加的な撚りが解ける力により、糸撚り器が自然に回転し、この回転により、複数の糸が寄り合わされる。したがって、各糸保持軸を公転させるといった複雑な機構を全く不要としつつ、撚り糸を作成することが可能となる。
【００２０】
本発明のその他の特徴および利点は、図面を参照して以下に行う詳細な説明から、より明らかになろう。
【図面の簡単な説明】
【００２１】
【図１】本発明の一実施形態に係る糸撚り器の正面図である。
【図２】図１に示した糸撚り器の左側面図である。
【図３】図１に示した糸撚り器の全体斜視図である。
【図４】図１に示した糸撚り器のケースの第１部材を取り外し、内部構造を示す斜視図である。
【図５】図１のV-V線に沿う断面図である。
【図６】図１のVI-VI線に沿う断面図である。
【図７】図１に示した糸撚り器を用いた撚り糸の作成方法の一例を示す説明図である。
【図８】図１に示した糸撚り器を用いた撚り糸の作成方法の一例を示す説明図である。
【図９】図１に示した糸撚り器を用いた撚り糸の作成方法の一例を示す説明図である。
【発明を実施するための形態】
【００２２】
以下、本発明の好ましい実施の形態につき、図面を参照して具体的に説明する。
【００２３】
図１ないし図６は、本発明の一実施形態に係る糸撚り器１０を示す。この糸撚り器１０は、ケース２００と、操作ホイール３００と、２本の糸保持軸４０Ａ，４０Ｂと、操作ホイール３００の回転に節度感を与える係止手段５００と、を備える。
【００２４】
ケース２００は、一定厚みをもち、かつ略長矩形状の正面視形状を有する。より具体的には、このケース２００は、正面壁２１０と、背面壁２２０と、これら正面壁２１０と背面壁２２０とにつながる左右の側面壁２３０，２４０、頂面壁２５０および底面壁２６０とを有する所定厚みの平面視略長矩形ボックス状をしている。正面壁２１０と背面壁２２０とは、一定間隔を開けて平行な平面をなし、上下方向に長手状をしている。左右側面壁２３０，２４０の一般部２３１，２４１は、互いに平行な平面をなし、頂面壁２５０寄りの部位には正面視弧状の膨出部２３２，２４２が形成されている。左右の側面壁２３０，２４０の膨出部２３２，２４２が正面視においてなす弧は、同一円の円弧の一部をなす。頂面壁２５０と底面壁２６０は、正面壁２１０、背面壁２２０、および左右側面壁２３０，２４０と直交し、互いに平行な平面をなす。このケース２００の下部領域、すなわち、左右側面壁２３０，２４０に膨出部２３２，２４２が設けられていない領域は、作業者が手で握持する握持部２７０として機能する。このケース２００はまた、正面壁２１０側の第１部材２０１と、底面壁２６０側の第２部材２０２とを最中状に接合して構成されている。第１部材２０１と第２部材２０２は、たとえば、樹脂成形によって形成することができる。
【００２５】
操作ホイール３００は、円形リング状をしており、正面壁２１０と背面壁２２０との間においてケース２００に対して回転操作可能に支持され、その外周の一部が左右側面壁２３０，２４０の膨出部２３２，２４２に開けたスリット２３３，２４３から外部に露出させられている。より具体的には、この操作ホイール３００は、図４に良く表れているように、内周部３１０と外周部３２０とを有し、内周部３１０にはギヤ歯３１５が、外周部３２０にはローレット状の凹凸３２５が、それぞれ形成されている。後記するように、ギヤ歯３１５は、糸保持軸４０Ａ，４０Ｂの基端部４２０に設けたピニオンギヤ４２３と噛み合うことにより、操作ホイール３００の回転を各糸保持軸４０Ａ，４０Ｂの回転として伝達する役割を有する。また、凹凸３２５は、操作ホイール３００を指で回す際の滑り止めとしての役割と、この操作ホイール３００の回転に節度感を与える係止手段５００の一要素としての役割とを有する。
【００２６】
図５および図６に良く表れているように、操作ホイール３００の表裏両側面には、厚み方向の深さを有し、当該操作ホイール３００の中心と同一中心を有する円形の環状溝３３０が形成されている一方、ケース２００の第１部材２０１および第２部材２０２には、上記各環状溝３３０に摺動可能に突入係合する環状突起２０３が形成されている。これにより、操作ホイール３００はケース２００に対して回転操作可能に支持される。操作ホイール３００は、たとえば、樹脂成形によって形成することができる。
【００２７】
糸保持軸４０Ａ，４０Ｂは、本実施形態では２本の糸保持軸が、その先端部４１０がケース２００の正面壁２１０から突出するようにして、かつ正面視において左右に並ぶようにして、ケース２００に対して軸転可能に支持されている。
【００２８】
より具体的には、この糸保持軸４０Ａ，４０Ｂは、ケース２００の正面壁２１０と直交する軸線をもつとともに先端部４１０と基端部４２０とを有し、基端部４２０がケース２００に対して軸転可能に支持され、先端部４１０がケース２００の正面壁２１０から突出させられている。図６に良く表れているように、各糸保持軸４０Ａ，４０Ｂの基端部４２０は、首部４２１と、フランジ部４２２と、ピニオンギヤ４２３と、小径軸部４２４とを基端方に向けてこの順に有し、首部４２１がケース２００（第１部材２０１）の正面壁２１０に開けた支持孔２０４に軸転可能に通挿支持され、小径軸部４２４がケース２００に第２部材２０２）の背面壁２２０の内面に形成したボス２０５に軸転可能に嵌合支持されることにより、ケース２００に対して軸転可能に支持されている。また、組み立て状態において上記フランジ部４２２が正面壁２１０の内面に当接することにより、糸保持軸４０Ａ，４０Ｂの軸方向の位置が規定され、その脱落が阻止される。なお、先端部４１０の軸径は、上記首部４２１の軸径と同等もしくはそれ以下としてある。
【００２９】
上記したように、各糸保持軸４０Ａ，４０Ｂの基端部４２０に設けたピニオンギヤ４２３は、操作ホイール３００の内周部３１０に形成したギヤ歯３１５に噛み合わされている。各ピニオンギヤ４２３の歯数は同じであり、したがって、操作ホイール３００を回すと、各糸保持軸４０Ａ，４０Ｂは、上記ギヤ歯３１５と上記ピニオンギヤ４２３との歯数比で規定される所定のギヤ比で同期軸転させられる。
【００３０】
各糸保持軸４０Ａ，４０Ｂの先端部４１０には、鉤部４１１が設けられている。すなわち、ドーム状をした先端部４１０に、その側面から当該糸保持軸４０Ａ，４０Ｂの先端方に向けて斜めに切れ込むスリット４１１ａが形成されている。各糸保持軸４０Ａ，４０Ｂは、その鉤部４１１、すなわち、上記スリット４１１ａの開口が常に同じ方向を向くように、各ピニオンギヤ４２３と上記ギヤ歯３１５との間の噛み合い位置が調整されている。なお、この糸保持軸４０Ａ，４０Ｂもまた、たとえば、樹脂成形によって形成することができる。
【００３１】
係止手段５００は、操作ホイール３００の外周の凹凸３２５に弾性係合する係合部材５１０を設けることによって構成される。本実施形態では、図４および図５に表れているように、係合部材５１０は、先端部に上記凹凸３２５のピッチと対応して曲げられた凹凸部５１１を有する板バネ５１０ａを用い、凹凸部５１１を操作ホイール３００の外周に弾性圧接させている。これにより、操作ホイール３００を回すと板バネ５１０ａの凹凸部５１１が操作ホイール３００の外周の凹凸３２５に弾性係脱を繰り返し、操作ホイール３００の回転に節度感が付与された所定の抵抗が与えられる。
【００３２】
上記構成の糸撚り器１０において、ケース２００の握持部２７０に近い位置に操作ホイール３００の外周の一部が露出させられているので、握持部２７０を握持した手の親指または人差し指で操作ホイール３００を所望の方向に直接回すことができる。そして、操作ホイール３００が回転すると、２本の糸保持軸４０Ａ，４０Ｂが同方向に同期軸転する。
【００３３】
上記構成の糸撚り器１０は、次のようにして組み立てることができる。
【００３４】
すなわち、図４に示すように、ケース２００の第２部材２０２上に、操作ホイール３００、２本の糸保持軸４０Ａ，４０Ｂおよび板バネ５１０ａを所定のように置き、次いで、第２部材２０２に対して第１部材２０１を最中状に重ね、これら第１および第２部材
２０２，２０１をタッピングねじ２８０（図５）あるいは超音波融着、あるいは接着などの手段により接合する。
【００３５】
次に、上記構成の糸撚り器１０を用いて撚り糸Ｈ（図９（ｂ））を作成する方法の一例について説明する。
【００３６】
まず、同等長さとされた２本の糸Ａ，Ｂを用意する。そもそも、糸Ａ，Ｂは、複数の繊維束を撚り合わせて構成されている。撚りの方向により、右撚り（複数の繊維束の一端を右回りに撚る）の糸と、左撚り（複数の繊維束の一端を左回りに撚る）の糸とがあるが、用意する２本の糸Ａ，Ｂは、撚り方向が同じものとする。
【００３７】
次に、図７に示すように、２本の糸Ａ，Ｂを、糸撚り器１０の各糸保持軸４０Ａ，４０Ｂの先端部４１０に括り付けるようにして保持させる。すなわち、本実施形態の場合、各糸保持軸４０Ａ，４０Ｂの先端部４１０の鉤部４１１のスリット４１１ａに引っ掛けるようにして各糸Ａ，Ｂを括り付ける。２本の糸Ａ，Ｂの他端部は、互いに結んでおくのがよい。
【００３８】
次に、図８に示すように、糸撚り器１０をたとえば右手に持ち、左手で２本の糸Ａ，Ｂの他端部を、互いの糸Ａ，Ｂの間隔を開け、かつ、２本の糸Ａ，Ｂがぴんと張るようにして保持しつつ、右手の親指または人差し指で操作ホイール３００を所定方向に回し、２本の糸保持軸４０Ａ，４０Ｂを所定方向に軸転させる。たとえば、上記糸Ａ，Ｂが右撚りの糸である場合、各糸Ａ，Ｂに右方向の付加的な撚りを与えるように２本の糸保持軸４０Ａ，４０Ｂを軸転させる。すなわち、操作ホイール３００を図１の矢印Ｒ方向に回すことにより、各糸保持軸４０Ａ，４０Ｂを図１の矢印ｐ方向に適当回数軸転させる。上記糸Ａ，Ｂが左撚りの糸である場合には、上記とは逆に、操作ホイール３００を図１の矢印Ｌ方向に回すことにより、各糸保持軸４０Ａ，４０Ｂを図１の矢印ｑ方向に適当回数軸転させる。これにより、２本の糸Ａ，Ｂに、付加的な撚りが与えられる。
【００３９】
次に、２本の糸Ａ，Ｂの他端部を吊持点とし、上記糸撚り器１０をぶら下げる。このとき、各糸保持軸４０Ａ，４０Ｂを、図２および図３に示すように鉤部４１１のスリット４１１ａが下方を向くようにしておくことにより、各糸Ａ，Ｂの一端部が鉤部４１１から外れて糸撚り器１０が脱落しないようにしておく。各糸Ａ，Ｂに与えられた付加的な撚りが解けようとする力により、糸撚り器１０全体が図９のたとえば矢印Ｎ方向に回転する。これにより、２本の糸Ａ，Ｂが、左撚りに撚り合わされることになり、撚り糸Ｈが出来上がる。２本の糸Ａ，Ｂが撚り合わされた状態は、各糸Ａ，Ｂに付加的に与えられた撚りが解けようとする力によって維持されるので、出来上がった撚り糸Ｈの撚りが不用意に解けることはない。
【００４０】
最後に、各糸Ａ，Ｂの一端を各糸保持軸４０Ａ，４０Ｂから外し、不要な端部を切断するなどして、この撚り糸Ｈを所望の手芸用要素として用いればよい。なお、各糸Ａ，Ｂの一端は、鉤部４１１に括り付けられているので、そのスリット２４３から外すことにより、容易に各糸保持軸４０Ａ，４０Ｂから外すことができる。
【００４１】
以上説明したように、上記構成の糸撚り器１０によれば、これを握持した一方の手の指で操作ホイール３００を直接回すことができるので、たとえば、複数本の糸Ａ，Ｂの一端を糸保持軸４０Ａ，４０Ｂに保持させ、複数本の糸Ａ，Ｂの他端を他方の手で保持した状態で、簡便に各糸Ａ，Ｂに付加的な撚りを与えることができ、そして、その後、複数本の糸Ａ，Ｂの他端を吊持点として糸撚り器１０から手を離してこれをぶら下げるだけで、複数本の糸Ａ，Ｂを撚り合わせることができるので、撚り糸Ｈの作成がきわめて簡便に行える。
【００４２】
そして、上記構成の糸撚り器１０は、各糸Ａ，Ｂに与えた付加的な撚りが解ける力を利用して複数本の糸Ａ，Ｂを撚り合わせることができるので、たとえば、糸保持軸４０Ａ，４０Ｂを公転させる機構が不要となり、構造が簡単で部品点数も少なく、コスト的に有利となる。
【００４３】
もちろん、この発明の範囲は上記した実施形態に限定されるものではなく、各請求項に記載した範囲内でのあらゆる設計変更は、すべて本発明の範囲に含まれる。
【００４４】
たとえば、実施形態では、糸保持軸４０Ａ，４０Ｂは、２本としたが、３本もしくはそれ以上としてもよい。
【００４５】
また、実施形態では、糸保持軸４０Ａ，４０Ｂの先端部４１０を鉤状としたが、先端に環を設け、この環に糸Ａ，Ｂの一端を括り付けるようにしてもよい。
【００４６】
さらに、実施形態では、操作ホイール３００の回転に節度感を付与する係止機構を設けたが、このような係止機構を設けるかどうかは、選択事項であり、操作ホイール３００の回転に単に抵抗を与えるだけでもよい。
【符号の説明】
【００４７】
１０    糸撚り器
２００  ケース
２０１  第１部材
２０２  第２部材
２０３  環状突起
２１０  正面壁
２２０  背面壁
２３０  右側面壁
２４０  左側面壁
２５０  頂面壁
２６０  底面壁
２７０  握持部
３００  操作ホイール
３１０  内周部
３１５  ギヤ歯
３２０  外周部
３２５  凹凸
４０Ａ  糸保持軸
４０Ｂ  糸保持軸
４１１  鉤部
４２３  ピニオンギヤ
５００  係止手段
５１０  係合部材
５１０ａ  板バネ
５１１  凹凸部
Ａ  糸
Ｂ  糸
Ｈ  撚り糸
【図１】
0006532751.tif 000002
【図２】
0006532751.tif 000003
【図３】
0006532751.tif 000004
【図４】
0006532751.tif 000005
【図５】
0006532751.tif 000006
【図６】
0006532751.tif 000007
【図７】
0006532751.tif 000008
【図８】
0006532751.tif 000009
【図９】
0006532751.tif 000010